(57)【要約】【課題】  原稿の載置順を整合する原稿搬送読取装置および画像形成装置を提供することを目的とする。【解決手段】  原稿搬送読取装置１００は、原稿を排出する原稿排出部１８０と、原稿排出部１８０から排出された原稿が載置される排出原稿載置部（原稿載置面）２２０と、排出原稿載置部２２０に載置された原稿を持ち上げる持ち上げ部材２２２と、を備える。この構成により、原稿排出部１８０から排出される次の原稿を、載置面２２０Ａ上に載置されている先行の原稿の下側に積層することができる。これにより、原稿排出部１８０から排出される原稿の順番と異なる順番で、載置面２２０Ａ上に（下から）原稿を積層することができる。【選択図】図５
2020015603.tif 000002
【特許請求の範囲】
【請求項１】
原稿を搬送して搬送された原稿の画像を読み取る原稿搬送読取装置であって、
原稿を排出する原稿排出部と、
前記原稿排出部から排出された原稿が載置される排出原稿載置部と、
前記排出原稿載置部に載置された原稿を持ち上げる持ち上げ部材と、を備えたことを特徴とする原稿搬送読取装置。
【請求項２】
原稿を載置する原稿載置部と、
前記原稿載置部に載置された原稿のうち、最上部の原稿を送り出す原稿給送部と、
前記原稿給送部から給送される原稿を搬送する原稿搬送部と、を備え、
前記原稿搬送部および前記原稿排出部は、前記原稿載置部に載置された原稿を反転させることなく前記原稿排出部から排出することを特徴とする請求項１記載の原稿搬送読取装置。
【請求項３】
装置上部に装置の床投影面積以上の面積の天板を配置し、前記原稿載置部を装置本体に格納可能に設け、前記原稿載置部は、装置本体から開放された状態で前記天板の外周縁より外部に張り出すことを特徴とする請求項２記載の原稿搬送読取装置。
【請求項４】
前記排出原稿載置部の上方に配置され、原稿を検知する原稿センサを備え、前記原稿センサの出力に基づき前記持ち上げ部材を制御することを特徴とする請求項１〜３の何れか記載の原稿搬送読取装置。
【請求項５】
前記排出原稿載置部に載置される原稿の底面に当接して回転することにより、原稿を搬送する搬送ローラをさらに備えたことを特徴とする請求項１〜４の何れか記載の原稿搬送読取装置。
【請求項６】
前記持ち上げ部材よりも原稿の排出方向における上流側に配置され、原稿を検知する第２の原稿センサを備え、前記第２の原稿センサの出力に基づき前記搬送ローラを制御することを特徴とする請求項５記載の原稿搬送読取装置。
【請求項７】
請求項１〜６の何れか記載の原稿搬送読取装置を備え、
前記画像読取部が読み取った画像に基づき、シートに画像を形成する画像形成装置。
【請求項８】
前記原稿排出部には、原稿を排出する原稿排出口が備えられるとともに、
画像が形成されたシートを排出するシート排出口と、
少なくとも装置の一側面に開口し、且つ、前記原稿排出口および前記シート排出口が臨む空間であり、前記原稿排出口から排出された原稿および前記シート排出口から排出されたシートを収容する排出収容部と、をさらに備えたことを特徴とする請求項７記載画像形成装置。
【発明の詳細な説明】
【技術分野】
【０００１】
本発明は、原稿搬送読取装置および画像形成装置に関する。
【背景技術】
【０００２】
従来、原稿を搬送して搬送された原稿の画像を読み取る原稿搬送読取装置が知られている。
【０００３】
特許文献１には、天板の下面部にある原稿搬送路と、原稿搬送路を搬送される原稿の表側と裏側の画像を夫々読取る画像読取装置と、画像読取装置で読み取られた原稿が排紙される排紙部とを備えた画像形成装置が記載されている。
【発明の概要】
【発明が解決しようとする課題】
【０００４】
本発明は、原稿の載置順を整合する原稿搬送読取装置および画像形成装置を提供することを目的とする。
【課題を解決するための手段】
【０００５】
本発明は、原稿を搬送して搬送された原稿の画像を読み取る原稿搬送読取装置であって、原稿を排出する原稿排出口と、前記原稿排出口から排出された原稿が載置される排出原稿載置部と、前記排出原稿載置部に載置された原稿を持ち上げる持ち上げ部材と、を備える。
【発明の効果】
【０００６】
本発明によれば、原稿の載置順を整合する原稿搬送読取装置および画像形成装置を提供できる。
【図面の簡単な説明】
【０００７】
【図１】本発明の一実施形態である画像形成装置１の斜視図である。
【図２】図１に示した画像形成装置１の断面図である。
【図３】図１に示した画像形成装置１の上面図である。
【図４】図１に示した画像形成装置１の原稿載置面（排出原稿載置部）２２０の上面図である。
【図５】図４に示した原稿載置面（排出原稿載置部）２２０の具体例を示す正面図である。
【図６】図１に示した画像形成装置１の変形例を示す断面図である。
【図７】図６に示した画像形成装置１の上面図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、本発明の一実施形態である画像形成装置１の斜視図である。図１に示されるＸ軸方向は画像形成装置１の幅方向であり、Ｙ軸方向は画像形成装置１の高さ方向であり、Ｚ軸方向は画像形成装置１の奥行き方向である。
【００１０】
画像形成装置１は、原稿を搬送して搬送された原稿の画像を読み取る原稿搬送読取装置１００と、物品の載置面となる上面を有する天板３００と、天板３００上に載置され、画像形成装置１への操作入力を受け付ける操作部４００と、シートに画像を形成する画像形成部６０と、排出された原稿およびシートを収容する排出収容部２００とを備える。
【００１１】
画像形成装置１は、また、画像形成部６０に供給されるシートを載置する内部シート載置部１０と、画像形成部６０に供給されるシートを載置する第２の内部シート載置部１５とを装置内部に備える。
【００１２】
画像形成装置１は、さらに、幅方向（Ｘ方向）右側の側面５００に、画像形成部６０に給送されるシートを載置するシート載置部２０を備え、原稿搬送読取装置１００は、装置内部に供給される原稿を載置する原稿載置部１１０を画像形成装置１の側面５００に備える。シート載置部２０および原稿載置部１１０は、画像形成装置１に対して開放および格納可能であり、図１は格納された状態を示している。
【００１３】
排出収容部２００には、排出された原稿が載置される原稿載置面（排出原稿載置部）２２０と、排出されたシートが載置されるシート載置面（排出シート載置部）２４０と、排出されたシートが載置される第２のシート載置面（第２の排出シート載置部）２５０とが配置されている。なお、原稿載置面２２０を備えた排出収容部２００は、原稿搬送読取装置１００に含まれるように構成してもよい。
【００１４】
排出収容部２００は、画像形成装置１の高さ方向（Ｙ軸方向）の上側は天板３００に覆われ、画像形成装置１の幅方向（Ｘ軸方向）の右側は側面５００に覆われ、画像形成装置１の奥行き方向（Ｚ軸方向）の後ろ側は後側面５５０に覆われている。これにより、原稿載置面２２０に排出された原稿、およびシート載置面２４０、第２のシート載置面２５０に排出されたシートの機密性が確保できる。
【００１５】
排出収容部２００には、また、画像形成装置１の奥行き方向（Ｚ軸方向）前側の前側面、及び画像形成装置１の幅方向（Ｘ軸方向）の左側の左側面に開口する開口部２１０が形成されており、この開口部２１０を介して、原稿載置面２２０と、シート載置面２４０と、第２のシート載置面２５０は、画像形成装置１の外部に露出している。これにより、原稿載置面２２０に排出された原稿、およびシート載置面２４０に排出されたシートを容易に画像形成装置１から取り出すことができる。
【００１６】
図２は、図１に示した画像形成装置１の幅方向（Ｘ軸方向）および高さ方向（Ｙ軸方向）を含む平面での断面図であって、奥行き方向（Ｚ軸方向）の前側から見た断面図である。シート載置部２０および原稿載置部１１０は、画像形成装置１から開放された状態を示している。シート載置部２０および原稿載置部１１０は、画像形成装置１の幅方向（Ｘ軸方向）の右方向において、天板３００の外周縁より外部に張り出している。天板３００は、装置の上面６００上に積載される。
【００１７】
原稿搬送読取装置１００は、原稿載置部１１０に載置された原稿を装置内部に給送する原稿給送部１３０と、原稿給送部１３０から給送される原稿を搬送する原稿搬送部１５０と、原稿搬送部１５０により搬送される原稿の上面を第１面（表面）として読み取る画像読取り部１６０と、原稿搬送部１５０により搬送される原稿の下面（底面）を第２面（裏面）として読み取る第２の画像読取り部１７０と、原稿搬送部１５０により搬送される原稿を排出する原稿排出部１８０を備える。原稿搬送読取装置１００の上部かつ天板３００の下部の間には、空きスペース１０１が形成されている。また、画像読取り部１６０および第２の画像読取り部１７０を含む原稿搬送読取装置１００は、操作部４００よりも下側に配置される。
【００１８】
原稿給送部１３０は、原稿載置部１１０から原稿を給送する原稿給送ローラ１３４を備える。原稿給送ローラ１３４は、原稿載置部１１０に載置された原稿の上面に当接して回転することにより、原稿載置部１１０から原稿を給送する。原稿載置部１１０に複数の原稿が積層されている場合、原稿給送部１３０は、原稿載置部１１０に載置された原稿のうち、最上部の原稿を給送する。
【００１９】
原稿搬送部１５０は、原稿給送部１３０から給送された原稿を搬送する搬送ローラ対１５２、１５３と、搬送ローラ対１５２、１５３から搬送された原稿を搬送する第２の搬送ローラ対１５４、１５５を備える。
【００２０】
原稿排出部１８０は、原稿載置面２２０に向けて原稿を排出する原稿排出口１８２と、第２の搬送ローラ対１５４、１５５から搬送された原稿を原稿排出口１８２に向けて搬送する原稿排出ローラ対１８４、１８５を備える。排出収容部２００は、原稿排出口１８２が臨む空間であり、原稿排出口１８２から排出された原稿を収容するように形成される。原稿は、画像形成装置１の幅方向（横方向、Ｘ軸方向）の左側に向けて、原稿排出口１８２から排出される。原稿搬送部１５０および原稿排出部１８０は、原稿載置部１１０に載置された原稿の表裏を反転させることなく原稿排出部１８０から排出するように構成されている。
【００２１】
画像形成装置１は、内部シート載置部１０に載置されたシートを画像形成部６０に給送する内部シート給送部１１と、第２の内部シート載置部１５に載置されたシートを画像形成部６０に給送する第２の内部シート給送部１６と、シート載置部２０に載置されたシートを装置内部の画像形成部６０に給送するシート給送部３０と、内部シート給送部１１、第２の内部シート給送部１６およびシート給送部３０から給送されるシートを搬送するシート搬送部４０と、上述した画像形成部６０により形成された画像をシート上に定着させる定着部７０と、画像が定着したシートを排出するシート排出部８０を備える。ここで、上述した原稿排出部１８０は、シート排出部８０よりも上方に配置されている。
【００２２】
シート給送部３０は、シート載置部２０に載置されたシートの有無を検知するシートセンサ３２と、シート載置部２０からシートを給送するシート給送ローラ３４を備える。シートセンサ３２がシートありを検知すると、シート給送ローラ３４は、シート載置部２０に載置されたシートの底面に当接して回転することにより、シート載置部２０からシートを給送する。シート載置部２０に複数のシートが積層されている場合、シート給送部３０は、シート載置部２０に載置されたシートのうち、最下部のシートを給送する。
【００２３】
シート搬送部４０は、画像形成部６０に向けてシートを搬送する搬送ローラ対４２、４３と、定着部７０より下流側でシートの搬送先を切り替える搬送切替部４８と、画像が定着したシートを反転して搬送する第２の搬送ローラ対４４、４５と、第２の搬送ローラ対４４、４５から搬送されるシートを搬送ローラ対４２、４３に向けて搬送する第３の搬送ローラ対４６、４７とを備える。
【００２４】
画像形成部６０は、ブラック、シアン、マゼンタ、イエロー各色のトナーを収納するトナー収納部６２Ｂ、６２Ｃ、６２Ｍ、６２Ｙと、画像読取り部１６０および第２の画像読取り部１７０が読み取った画像に対応する画像書き込み光を生成する書き込み部６３と、書き込み部６３が生成した画像書き込み光によりブラック、シアン、マゼンタ、イエロー各色の画像を形成する画像形成ユニット６４Ｂ、６４Ｃ、６４Ｍ、６４Ｙと、画像形成ユニット６４Ｂ、６４Ｃ、６４Ｍ、６４Ｙが形成した各色の画像を重ね合わせてシートに転写する転写部６６を備える。
【００２５】
転写部６６は、画像形成ユニット６４Ｂ、６４Ｃ、６４Ｍ、６４Ｙにより形成された各色の画像が重ね合わされて一次転写される中間転写ベルト６７と、中間転写ベルト６７上に転写された画像をシートに二次転写する二次転写部６８とを備える。
【００２６】
シート排出部８０は、シート載置面２４０に向けてシートを排出するシート排出口８２と、シートをシート排出口８２に向けて搬送するシート排出ローラ対８４、８５と、第２のシート載置面２５０に向けてシートを排出する第２のシート排出口９２と、シートを第２のシート排出口９２に向けて搬送する第２のシート排出ローラ対９４、９５とを備える。排出収容部２００は、シート排出口８２および第２のシート排出口９２が臨む空間であり、シート排出口８２および第２のシート排出口９２から排出されたシートを収容するように形成される。シートは、画像形成装置１の幅方向（横方向、Ｘ軸方向）の左側に向けて、シート排出口８２および第２のシート排出口９２から排出される。
【００２７】
片面画像形成の場合、シート搬送部４０およびシート排出部８０は、画像形成部６０により画像形成された面が下向きになるように、シート排出部８０からシートを排出する。
【００２８】
片面画像形成の場合、定着部７０から搬送されるシートは、搬送切替部４８により、シート排出ローラ対８４、８５または第２のシート排出ローラ対９４、９５へ向けて搬送され、シート排出口８２または第２のシート排出口９２から排出される。
【００２９】
両面画像形成の場合、定着部７０から搬送されるシートは、搬送切替部４８により、第２のシート排出口９２へ向けて搬送される。そして、シートは、第２のシート排出口９２から完全に排出される前に、第２のシート排出ローラ対９４、９５が逆回転することにより、第２の搬送ローラ対４４、４５に向けて反転して搬送される。
【００３０】
図３は、図１に示した画像形成装置１の上面図である。シート載置部２０および原稿載置部１１０は、画像形成装置１に格納された状態である。
【００３１】
天板３００の外周縁は、画像形成装置１の上面６００の外周縁と同じである。図３における画像形成装置１の上面６００の外周縁は、画像形成装置１の床投影面積と同じなので、天板３００の面積は、画像形成装置１の床投影面積と同じである。
【００３２】
図４は、図１に示した画像形成装置１の原稿載置面（排出原稿載置部）２２０の具体例を示す上面図である。
【００３３】
図５は、図４に示した原稿載置面（排出原稿載置部）２２０の正面図である。
【００３４】
排出原稿載置部２２０には、排出原稿載置部２２０の載置面２２０Ａに載置された原稿を持ち上げる持ち上げ部材２２２と、排出原稿載置部２２０の載置面２２０Ａに載置される原稿の底面に当接して回転することにより、原稿を搬送する搬送ローラ２２６と、排出原稿載置部２２０の載置面２２０Ａより上方に配置され、原稿（後端）の有無を検知する原稿センサ２３０と、持ち上げ部材２２２よりも原稿の排出方向（図中Ｘ軸方向左側）における上流側（図中Ｘ軸方向右側）に配置され、原稿（先端）の有無を検知する第２の原稿センサ２３２と、が設けられる。
【００３５】
持ち上げ部材２２２には、原稿の底面に当接して回転する第２の搬送ローラ２２４が設けられている。搬送ローラ２２４、搬送ローラ２２６は、原稿の幅方向（図中Ｚ軸方向）、搬送方向（図中Ｘ軸方向）に複数設けてもよい。また、載置面２２０Ａに積載された原稿の端部を規制する規制部材を設けることにより、原稿先端揃えや脱落防止を図っても良い。
【００３６】
持ち上げ部材２２２は、支点２２２Ａを回動軸として、載置面２２０Ａとほぼ同じ高さから載置面２２０Ａより上方に移動可能であり、載置面２２０Ａ上に載置された原稿を載置面２２０Ａより上方に持ち上げることができる。持ち上げ部材２２２は、原稿センサ２３０の出力に基づき駆動制御される。搬送ローラ２２６は、第２の原稿センサ２３２の出力に基づき回転駆動制御される。
【００３７】
以上の構成において、原稿が原稿排出部１８０から排出されて載置面２２０Ａ上に載置されると、次の原稿Ｄ１が原稿排出部１８０から排出される前に、持ち上げ部材２２２が支点２２２Ａを中心にして上方に移動開始し、載置面２２０Ａ上に載置された原稿Ｄ０の後端を原稿排出口１８２より上方になるように持ち上げる。持ち上げ部材２２２が移動する高さ（回転する角度）は、原稿センサ２３０からの出力に基づき、載置面２２０Ａ上に載置された原稿Ｄ０の後端が原稿排出口１８２より上方になるように制御される。
【００３８】
次の原稿Ｄ１が原稿排出部１８０から排出され、第２の原稿センサ２３２が次の原稿Ｄ１（先端）を検知すると、所定時間経過後に、搬送ローラ２２６を回転駆動開始する。
【００３９】
次の原稿Ｄ１が、持ち上げ部材２２２により持ち上げられている先行原稿Ｄ０の後端の下側を通過すると、持ち上げ部材２２２を下方に移動開始し、載置面２２０Ａとほぼ同じ高さの位置へ戻す。ここで、次の原稿Ｄ１が持ち上げ部材２２２に接触した場合、第２の搬送ローラ２２４が次の原稿Ｄ１の底面に当接して回転することにより、次の原稿Ｄ１の排出が持ち上げ部材２２２により妨げられるおそれが低減する。
【００４０】
次の原稿Ｄ１が搬送ローラ２２６に達すると、搬送ローラ２２６が次の原稿Ｄ１の底面に当接して回転することにより、先行原稿Ｄ０と載置面２２０Ａの間で次原稿Ｄ１を搬送する。搬送ローラ２２６は、次原稿Ｄ１を搬送するときのみ行ない、それ以外のときは停止している。
【００４１】
以上により、原稿排出部１８０から排出される次の原稿Ｄ１を、載置面２２０Ａ上に載置されている先行の原稿Ｄ０の下側に積層することができる。これにより、原稿排出部１８０から排出される原稿の順番と異なる順番で、載置面２２０Ａ上に（下から）原稿を積層することができる。
【００４２】
また、搬送ローラ２２６により先行原稿と載置面２２０Ａの間で次原稿を搬送することにより、先行の原稿の重みに抗して、次の原稿を先行の原稿の下側に積層することができる。
【００４３】
本実施形態では、図２に示したように、給送ローラ１３４により最上部の原稿Ｄ１から順に給送され、原稿載置部１１０に載置された原稿を反転させず原稿排出部１８０から排出するため、原稿載置部１１０にフェイスアップ（表側が上側）で原稿Ｄ１、Ｄ２、Ｄ３が上から順に積載されている場合、原稿排出部１８０からフェイスアップ（表側が上側）で原稿Ｄ１、Ｄ２、Ｄ３の順で排出される。
【００４４】
ここで、図４および図５に示した構成を用いることにより、原稿排出部１８０から原稿Ｄ１、Ｄ２、Ｄ３の順で排出される原稿を、載置面２２０Ａに原稿Ｄ１、Ｄ２、Ｄ３の順で上から積載することができる。
【００４５】
これにより、排出原稿載置部２２０に積載される原稿の表裏および積載順を、原稿載置部１１０における原稿の表裏および積載順と同じにすることができる。
【００４６】
図６は、図１に示した画像形成装置１の変形例を示す断面図である。シート載置部２０および原稿載置部１１０は、画像形成装置１から開放された状態を示している。シート載置部２０および原稿載置部１１０は、画像形成装置１の幅方向（Ｘ軸方向）の右方向において、天板３００の外周縁より外部に張り出している。
【００４７】
図７は、図６に示した画像形成装置１の上面図である。シート載置部２０および原稿載置部１１０は、画像形成装置１に格納された状態である。
【００４８】
天板３００の外周縁は、画像形成装置１の上面６００の外周縁より大きい。図３における画像形成装置１の上面６００の外周縁は、画像形成装置１の床投影面積と同じなので、天板３００の面積は、画像形成装置１の床投影面積より大きい。
【００４９】
以上説明したように、本発明の一実施形態に係る原稿搬送読取装置１００は、原稿を排出する原稿排出部１８０と、原稿排出部１８０から排出された原稿が載置される排出原稿載置部（原稿載置面）２２０と、排出原稿載置部２２０に載置された原稿を持ち上げる持ち上げ部材２２２と、を備える。
【００５０】
この構成により、原稿排出部１８０から排出される次の原稿を、載置面２２０Ａ上に載置されている先行の原稿の下側に積層することができる。これにより、原稿排出部１８０から排出される原稿の順番と異なる順番で、載置面２２０Ａ上に（下から）原稿を積層することができる。
【００５１】
原稿搬送読取装置１００は、原稿を載置する原稿載置部１１０と、原稿載置部に載置された原稿のうち、最上部の原稿を送り出す原稿給送部１３０と、原稿給送部１３０から給送される原稿を搬送する原稿搬送部１５０と、を備え、原稿搬送部１５０および原稿排出部１８０は、原稿載置部１１０に載置された原稿を反転させることなく原稿排出部１８０から排出する。これにより、排出原稿載置部２２０に積載される原稿の表裏および積載順を、原稿載置部１１０における原稿の表裏および積載順と同じにすることができる。
【００５２】
原稿搬送読取装置１００は、装置上部に装置の床投影面積以上の面積の天板３００を配置し、原稿載置部１１０を装置本体に格納可能に設け、原稿載置部１１０は、装置本体から開放された状態で天板３００の外周縁より外部に張り出す。
【００５３】
原稿搬送読取装置１００は、排出原稿載置部２２０の上方に配置され、原稿を検知する原稿センサ２３０を備え、原稿センサ２３０の出力に基づき持ち上げ部材２２２を制御する。これにより、持ち上げ部材２２２を原稿の状態に合わせて制御することができて、次の原稿を確実に先行の原稿の下側に積層することができる。
【００５４】
原稿搬送読取装置１００は、排出原稿載置部２２０に載置される原稿の底面に当接して回転することにより、原稿を搬送する搬送ローラ２２６をさらに備える。これにより、先行の原稿の重みに抗して、次の原稿を確実に先行の原稿の下側に積層することができる。
【００５５】
原稿搬送読取装置１００は、持ち上げ部材２２２よりも原稿の排出方向における上流側に配置され、原稿を検知する第２の原稿センサ２３２を備え、第２の原稿センサ２３２の出力に基づき搬送ローラ２２６を制御する。これにより、次の原稿が排出されるタイミングに合わせて搬送ローラを制御することができ、次の原稿を確実に先行の原稿の下側に積層することができる。
【００５６】
本発明の一実施形態に係る画像形成装置１は、上述した原稿搬送読取装置１００を備える。原稿排出部１８０には、原稿を排出する原稿排出口１８２が備えられるとともに、画像形成装置１は、画像が形成されたシートを排出するシート排出口８２と、少なくとも装置の一側面に開口し、且つ、原稿排出口１８２およびシート排出口８２が臨む空間であり、原稿排出口１８２から排出された原稿およびシート排出口８２から排出されたシートを収容する排出収容部２００と、をさらに備える。これにより、排出された原稿およびシートの機密性を確保しつつ、原稿およびシートを画像形成装置１から容易に取り出すことができる。
【符号の説明】
【００５７】
１  画像形成装置
８２、９２  シート排出口
１００  原稿搬送読取装置
１１０  原稿載置部
１３０  原稿給送部
１５０  原稿搬送部
１８０  原稿排出部
１８２  原稿排出口
２００  排出収容部
２２０  排出原稿載置部（原稿載置面）
２２２  持ち上げ部材
２２２  搬送ローラ２２６
２３０  原稿センサ
２３２  第２の原稿センサ
３００  天板
【先行技術文献】
【特許文献】
【００５８】
【特許文献１】特開２００７‐０７８９９４
【図１】
2020015603.tif 000003
【図２】
2020015603.tif 000004
【図３】
2020015603.tif 000005
【図４】
2020015603.tif 000006
【図５】
2020015603.tif 000007
【図６】
2020015603.tif 000008
【図７】
2020015603.tif 000009